(57)【要約】【課題】大きさ（厚み）が増大するのを防ぎつつ、円滑な磁気ストライプのスライド操作を可能とする電子機器を提供する。【解決手段】電子機器１は、端末本体１０と、端末本体１０に着脱可能な蓋部材２０と、端末本体１０に収納される電池３０とを備える。電子機器１は、第１端１７と第２端１８とを有し、第１端１７から第２端１８に向かって、第１の本体部４０と、第１の本体部より厚みが小さい第２の本体部５０が配置されている。読み取り装置６０は、第１の本体部４０の第１の位置４１に設けられ、磁気カードリーダ７０は、第１の本体部４０の第２の位置４２に設けられている。磁気カードリーダ７０には磁気カード１００の磁気ストライプが通過するスロット７１が設けられ、スロット７１は傾斜して状態で画定することで、磁気カードリーダ７０による電子機器１の厚みを防止している。【選択図】図１
2019036046.tif 000002
【特許請求の範囲】
【請求項１】
端末本体と、
外部の情報を読み取る読み取り装置と、
磁気カードの磁気ストライプが通過するためのスロットを有する磁気カードリーダと、
を備える電子機器であって、
前記端末本体は、
当該端末本体の第１端の側に配置された第１の本体部と、
当該端末本体の第２端の側に配置され、前記第１の本体部より厚みが小さい第２の本体部と、を含むとともに、
少なくとも表示部が配置された第１面及び当該第１面と反対側の第２面を有し、
前記読み取り装置が前記第１の本体部の前記第１端に隣接する第１の位置に設けられ、
前記磁気カードリーダが前記第１の本体部における、前記第１の位置よりも前記第２の本体部に近い第２の位置に設けられ、
前記スロットは、前記第１の本体部において、前記第１端から前記第２端に向かう方向に沿って、前記第２面から前記第１面に向かう様に傾斜した状態で画定される、
電子機器。
【請求項２】
請求項１に記載の電子機器であって、
前記第２面において、前記第１の本体部の前記第２の本体部に隣接する領域は、前記第１端から前記第２端に向かう方向に沿って、前記第２面から前記第１面に向かう様に傾斜する傾斜面を構成し、
前記スロットが前記第２面から前記傾斜面と同じ方向に傾斜する様に画定される、
電子機器。
【請求項３】
請求項２に記載の電子機器であって、
前記スロットが、前記傾斜面と平行に設けられる、
電子機器。
【請求項４】
請求項２に記載の電子機器であって、
前記スロットが、前記第１面に対し３０度〜４５度の角度をもって傾斜する様に設けられる、
電子機器。
【請求項５】
請求項２から４のいずれか１項に記載の電子機器であって、
前記端末本体に対し取り外し可能な蓋部材を更に備え、
前記蓋部材は、前記第２面のうち少なくとも、前記傾斜面と前記第２の本体部に対応する領域を構成し、
前記磁気カードリーダが前記蓋部材に取り付けられるとともに、前記スロットが前記蓋部材において画定されている、
電子機器。
【請求項６】
請求項５に記載の電子機器であって、
前記蓋部材が、前記第２の本体部に収納された電池を覆う電池蓋である、
電子機器。
【請求項７】
請求項１から６のいずれか１項に記載の電子機器であって、
前記読み取り装置が、バーコードリーダまたはカメラの少なくともいずれかを含む、
電子機器。
【発明の詳細な説明】
【技術分野】
【０００１】
本開示は、磁気カードリーダを備える電子機器に関する。
【背景技術】
【０００２】
近年、業務用の電子機器では、バーコードリーダのような読み取り装置に加えて磁気カードを読み取る磁気カードリーダを設けるニーズがあり、磁気カードリーダを備える電子機器が知られている（特許文献１、２参照）。
【０００３】
特許文献１は、磁気カードの情報を読み取る磁気カードリーダを備える磁気カード処理装置であって、磁気カードの照合の迅速化と犯罪の防止による利用者の保護を図ることが開示されている。特許文献２は、データ表示部とキーボードとを表面に有し、裏面側にオプション機器の装着が可能であり、裏面側から重心近傍の位置を手掌により把持して操作が可能な小型電子機器であって、オプション機器を機器本体に装着したまま手掌に保持して操作が容易なように形状と重量のバランスが保持され、使い勝手の良いことが開示されている。
【先行技術文献】
【特許文献】
【０００４】
【特許文献１】特開平６−１５００７４号公報
【特許文献２】特開平６−３４８６５３号公報
【発明の概要】
【発明が解決しようとする課題】
【０００５】
特許文献１及び２には、電子機器の端部に磁気カードリーダと、磁気カードを通すスロットとが設けられているが、電子機器が大型化し一方の手が邪魔する等で操作性が悪いという課題がある。
【０００６】
本開示は、大きさ（厚み）が増大するのを防ぎつつ、円滑な磁気ストライプのスライド操作を可能とする電子機器を提供することを目的とする。
【課題を解決するための手段】
【０００７】
本開示の電子機器は、端末本体と、外部の情報を読み取る読み取り装置と、磁気カードの磁気ストライプが通過するためのスロットを有する磁気カードリーダと、を備える電子機器であって、前記端末本体は、当該端末本体の第１端の側に配置された第１の本体部と、当該端末本体の第２端の側に配置され、前記第１の本体部より厚みが小さい第２の本体部と、を含むとともに、少なくとも表示部が配置された第１面及び当該第１面と反対側の第２面を有し、前記読み取り装置が前記第１の本体部の前記第１端に隣接する第１の位置に設けられ、前記磁気カードリーダが前記第１の本体部における、前記第１の位置よりも前記第２の本体部に近い第２の位置に設けられ、前記スロットは、前記第１の本体部において、前記第１端から前記第２端に向かう方向に沿って、前記第２面から前記第１面に向かう様に傾斜した状態で画定される。
【発明の効果】
【０００８】
本開示によれば、厚みのある第１の本体部の形状を利用して磁気カードリーダ及びスロットを設けることができるため、電子機器の磁気カードリーダによる厚みの増大を防止できる。また、磁気カード及び磁気カードをスライドさせる手が、読み取り装置及び電子機器を保持するもう一方の手と干渉することを避けることが可能となる。
【図面の簡単な説明】
【０００９】
【図１】本開示の電子機器の一例を示し、（ａ）正面斜視図、（ｂ）裏面斜視図、（ｃ）右側面図。
【図２】図１に基づき、（ａ）分解斜視図、（ｂ）分解右側面図。
【図３】本開示の電子機器の蓋部材を示し、（ａ）正面斜視図、（ｂ）裏面斜視図。
【図４】本開示の電子機器の磁気カードリーダの分解斜視図。
【図５】本開示の電子機器にストラップを取り付けたことを示し、（ａ）裏面斜視図、（ｂ）右側面図。
【発明を実施するための形態】
【００１０】
以下、適宜図面を参照しながら、本開示に係る電子機器を具体的に開示した実施形態（以下、「本実施形態」という）を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面および以下の説明は、当業者が本開示を十分に理解するために提供されるのであって、これらにより特許請求の範囲に記載の主題を限定することは意図されていない。
【００１１】
以下、本開示を実施するための好適な本実施形態について、図面を参照して詳細に説明する。
【００１２】
図１は、本開示の電子機器の一例を示し、（ａ）は正面斜視図、（ｂ）は裏面斜視図、（ｃ）は右側面図である。図２は、図１に基づき、（ａ）は分解斜視図、（ｂ）は分解右側面図である。図３は、電子機器の蓋部材を示し、（ａ）は正面斜視図、（ｂ）は裏面斜視図である。図１〜図３に基づいて本開示の電子機器を詳述する。
【００１３】
電子機器１は、個人用、業務用を含み、例えばスマートフォン等の携帯電話、タブレット等の携帯端末、デジタルカメラ、携帯型パーソナルコンピュータ、無線機等、であり、端末本体１０と、端末本体１０に着脱可能な蓋部材２０と、端末本体１０に収納される電池３０と、を備える。
【００１４】
端末本体１０は、主として樹脂から構成され略直方体の筐体１１からなり、電子機器１は、表示部１２が配置された第１面１３と、第１面１３と反対側の第２面１４と、両端部１５と、両側部１６とを有し、当該両端部１５は、第１端１７と、第１端１７と反対側に第２端１８とを有している。
【００１５】
第１端１７から第２端１８に向かって、第１の本体部４０と第２の本体部５０が配置されている。即ち、第１の本体部４０は、第１端１７の側に配置され、第２の本体部５０は、第２端１８の側に配置されている。また、本実施形態において、第１の本体部４０は、第２面１４側に突出し、第１の本体部４０の厚みＤは、第２の本体部５０の厚みＷよりも大きく形成されている（Ｄ＞Ｗ）。
【００１６】
そして、第１の本体部４０には、第１端１７に隣接する第１の位置４１と、第１の位置４１よりも第２の本体部５０に近い位置に第２の位置４２が設けられている。第１の位置４１は、第１端１７から隆起するように第１の隆起面４３が設けられ、第２の位置４２は、第１の隆起面４３に連続した第２の隆起面４４が設けられている。そして、第１の本体部４０には、第１の本体部４０において最も厚みＤが大きい厚みＤ１部分から第２の本体部５０に向かって傾斜する傾斜面４５が設けられ、第１の位置４１及び第２の位置４２によって、断面略三角形状をなしている。
【００１７】
即ち、第２面１４において、第１の本体部４０の第２の本体部５０に隣接する領域は、第１端１７から第２端１８に向かう方向に沿って、第２面１４から第１面１３に向かう様に傾斜する傾斜面４５を構成している。
【００１８】
本開示の電子機器１では、表示部１２が配置された側を第１面１３とし、第１面と反対側を第２面１４と定義している。また、第１端１７、第２端１８、第１の本体部４０、第２の本体部５０、第１の位置４１及び第２の位置４２は、本開示の電子機器１を説明するための用語であり、特に構成を限定しない。
【００１９】
本実施形態において、読み取り装置６０は、第１の本体部４０の第１の位置４１に設けられ、磁気カードリーダ７０は、第２の位置４２に設けられている。読み取り装置６０は、外部の情報を読み取るバーコードリーダ６１やカメラ６２を有している。また、磁気カードリーダ７０は、磁気カード１００の磁気ストライプが通過するためのスロット７１を有し、第２の隆起面４４に設けられている。即ち、当該スロット７１は、第１の本体部４０において、第１端１７から第２端１８に向かう方向に沿って、第２面１４から第１面１３に向かう様に傾斜した状態で画定されている。
【００２０】
端末本体１０と蓋部材２０とを分けて上述しているが、一体の場合、蓋部材２０は端末本体１０に含まれる。また、第２の本体部５０よりも厚みのある第１の本体部４０に磁気カードリーダ７０とスロット７１が設けられていることを定義している。
【００２１】
本実施形態では、磁気カードリーダ７０のスロット７１を、第２の本体部５０の厚みＷよりも厚い第１の本体部４０に斜めに傾斜した状態で設けることにより、電子機器１の磁気カードリーダ７０による厚みの増大を防止できる。
【００２２】
スロット７１の形成方向を、電子機器１の厚み方向に設けると厚みが大きくなり、また、厚み方向と略直交する平面方向に設けると読み取り装置６０に磁気カード１００の先端が干渉して読み取り装置６０の使用に支障を来す。さらに、スロット７１の形成方向を下側に設けると、電子機器１を保持する片方の手に干渉しやすくなる。
【００２３】
本開示の電子機器１では、上述の弊害を解消し、磁気カード１００及び磁気カード１００をスライドさせる手が、読み取り装置６０及び電子機器１を保持するもう一方の手と干渉すること無く、かつ電子機器１の磁気カードリーダ７０による厚みの防止を図るため、斜めに傾斜しているスロット７１を設けている。
【００２４】
また、スロット７１は、第１の本体部４０に斜めに傾斜した状態で設けられているが、第２面１４から傾斜面４５と同じ方向に傾斜する様に画定されていても良く、傾斜面４５と平行に設けられていても良い。
【００２５】
上述の「同じ方向に傾斜する」とは、より具体的には傾斜面４５に沿う、傾斜面４５の傾斜方向と略平行方向に沿う、と言う意味であり、「平行」とは、略平行であり、製造上の誤差や効果に影響がない程度の幅を持っているという意味である。第１の本体部４０から傾斜面４５を設けて連続的に第２の本体部５０と繋ぎ、滑らかな第２面１４を形成しつつ、これに沿うようにスロット７１を設け、傾斜面４５を有効活用している。
【００２６】
さらに、スロット７１は、第１面１３に対し３０度〜４５度の角度θをもって傾斜する様に設けられていても良い。尚、角度θは、製造上の誤差や効果に影響がない程度の幅を持っている。角度θが、３０度〜４５度であれば、スロット７１に磁気カード１００を挿入しやすく、読み取り装置６０への干渉もなく、電子機器１を保持するもう一方の手と干渉することも防止可能である。
【００２７】
図２に示すように、蓋部材２０は、樹脂成形品等から成る略長方形状をなし、端末本体１０に対し取り外し可能であり、第２面１４のうち少なくとも、傾斜面４５と第２の本体部５０に対応する領域を構成している。そして、蓋部材２０の第１の本体部４０に対応する領域には、磁気カードリーダ７０が取り付けられるとともに、スロット７１が蓋部材２０において画定されている。また、蓋部材２０は、第２の本体部５０に収納された電池３０を覆う電池蓋でもあり、電池３０と読み取り装置６０との間に配置される端子部３１と電気的に接続している。
【００２８】
図３は、蓋部材２０を示し、蓋部材２０の第２の位置４２側には、端末本体１０に設けられた端子部３１と接続する係合部３２が設けられている。
【００２９】
図４は、蓋部材２０の第１の本体部４０に対応する領域の分解斜視図である。蓋部材２０は、読み取り装置６０を除く第１の本体部４０及び第２の本体部５０を形成する主部材２１と、主部材２１に対して取り付け自在の磁気カードリーダ７０とを有している。また、磁気カードリーダ７０は、磁気カードリーダモジュール８０と傾斜面４５を有する最外蓋７２とを有している。そして、端子部３１と係合部３２とは、防水を図るためのシール材３３を介して接続される。
【００３０】
磁気カードリーダモジュール８０は、コネクタ８１を有する基板部８２と、スロット７１を有するスロット画定部材８３と、磁気カード１００の磁気ストライプの情報を読み取る磁気ヘッド８４と、押さえ部材８５とを備えている。また、主部材２１とスロット画定部材８３とはパッキン８６を介して防水が図られている。
【００３１】
蓋部材２０は、端末本体１０とは別部材であり、蓋部材２０に磁気カードリーダ７０を設ける構成して、磁気カードリーダ７０の機能の無い電池蓋との形状（大きさ）の差異を少なくし、ユーザが磁気カードリーダ７０の機能のない電池蓋との併用をしても、違和感を少なくすることが可能となる。
【００３２】
図５は、電子機器１にストラップ９０を取り付けたことを示している。ストラップ９０は、略長方形状で革などから形成され、一端を傾斜面４５の上端に、他端を第２端１８近傍に着脱自在に取り付けられる。ストラップ９０の裏面側と第２の本体部５０の上面側との間に空間９１が形成され、電子機器１を保持する手を通すことができ、ストラップ９０により、手から電子機器１が落下することを防止している。
【００３３】
以上により、本実施形態の電子機器１は、端末本体１０と、外部の情報を読み取る読み取り装置６０と、磁気カード１００の磁気ストライプが通過するためのスロット７１を有する磁気カードリーダ７０と、を備える電子機器１であって、端末本体１０は、当該端末本体１０の第１端１７の側に配置された第１の本体部４０と、当該端末本体１０の第２端１８の側に配置され、第１の本体部４０より厚みが小さい第２の本体部５０と、を含むとともに、少なくとも表示部１２が配置された第１面１３及び当該第１面１３と反対側の第２面１４を有し、読み取り装置６０が第１の本体部４０の第１端１７に隣接する第１の位置４１に設けられ、磁気カードリーダ７０が第１の本体部４０における、第１の位置４１よりも第２の本体部５０に近い第２の位置４２に設けられ、スロット７１は、第１の本体部４０において、第１端１７から第２端１８に向かう方向に沿って、第２面１４から第１面１３に向かう様に傾斜した状態で画定される。
【００３４】
これにより、磁気カード１００及び磁気カード１００をスライドさせる手が、読み取り装置６０及び電子機器１を保持するもう一方の手と干渉すること無く、かつ電子機器１の磁気カードリーダ７０による厚みの防止を図ることができる。
【００３５】
以上により、本実施形態の電子機器１は、第２面１４において、第１の本体部４０の第２の本体部５０に隣接する領域は、第１端１７から第２端１８に向かう方向に沿って、第２面１４から第１面１３に向かう様に傾斜する傾斜面４５を構成し、スロット７１が第２面１４から傾斜面４５と同じ方向に傾斜する様に画定される。
【００３６】
これにより、第１の本体部４０から傾斜面４５を設けて連続的に第２の本体部５０と繋ぎ、滑らかな第２面１４を形成しつつ、これに沿うようにスロット７１を設けることができ、傾斜面４５を有効活用することが可能となる。
【００３７】
以上により、本実施形態の電子機器１は、スロット７１が、傾斜面４５と平行に設けられる。これにより、第１の本体部４０から傾斜面４５を設けて連続的に第２の本体部５０と繋ぎ、滑らかな第２面１４を形成しつつ、これに沿うようにスロット７１を設けることができ、傾斜面４５を有効活用することが可能となる。
【００３８】
以上により、本実施形態の電子機器１は、スロット７１が、第１面１３に対し３０度〜４５度の角度をもって傾斜する様に設けられる。これにより、スロット７１に磁気カード１００を挿入しやすくなり、読み取り装置６０に干渉することもなく、電子機器１を保持するもう一方の手と干渉することも防止可能である。
【００３９】
以上により、本実施形態の電子機器１は、端末本体１０に対し取り外し可能な蓋部材２０を更に備え、蓋部材２０は、第２面１４のうち少なくとも、傾斜面４５と第２の本体部５０に対応する領域を構成し、磁気カードリーダ７０が蓋部材２０に取り付けられるとともに、スロット７１が蓋部材２０において画定されている。これにより、磁気カードリーダ７０やスロット７１が、端末本体１０と別体の蓋部材２０に設けることができ、磁気カードリーダの故障による交換や使用される磁気カード１００に対応した磁気カードリーダ７０を取り付けることが容易となる。
【００４０】
以上により、本実施形態の電子機器１は、蓋部材２０が、第２の本体部５０に収納された電池３０を覆う電池蓋である。これにより、磁気カードリーダ７０の機能の無い電池蓋との形状（おおきさ）の差異を少なくし、ユーザが磁気カードリーダ７０の機能のない電池蓋との併用をしても、違和感を少なくすることが可能となる。
【００４１】
以上により、本実施形態の電子機器１は、読み取り装置６０が、バーコードリーダ６１またはカメラ６２の少なくともいずれかを含む。これにより、外部の情報を取得することが容易となる。
【００４２】
以上、図面を参照して本開示に係る電子機器の実施形態について説明したが、本開示はかかる例に限定されない。当業者であれば、特許請求の範囲に記載された範疇内において、各種の変更例、修正例、置換例、付加例、削除例、均等例に想到し得ることは明らかであり、それらについても当然に本開示の技術的範囲に属するものと了解される。
【産業上の利用可能性】
【００４３】
本開示の電子機器は、磁気カードを使用する際に他の装置に干渉することなくスムーズに扱うことができ、電子機器の磁気カードリーダによる厚みを防止することを要求する分野に有用である。
【符号の説明】
【００４４】
１：電子機器
１０：端末本体
１１：筐体
１２：表示部
１３：第１面
１４：第２面
１７：第１端
１８：第２端
２０：蓋部材
３０：電池
４０：第１の本体部
４１：第１の位置
４２：第２の位置
４５：傾斜面
５０：第２の本体部
６０：読み取り装置
６１：バーコードリーダ
６２：カメラ
７０：磁気カードリーダ
７１：スロット
１００：磁気カード
【図１】
2019036046.tif 000003
【図２】
2019036046.tif 000004
【図３】
2019036046.tif 000005
【図４】
2019036046.tif 000006
【図５】
2019036046.tif 000007
【手続補正書】
【提出日】平成29年11月8日(2017.11.8)
【手続補正１】
【補正対象書類名】特許請求の範囲
【補正対象項目名】全文
【補正方法】変更
【補正の内容】
【特許請求の範囲】
【請求項１】
端末本体と、
外部の情報を読み取る読み取り装置と、
磁気カードの磁気ストライプが通過するためのスロットを有する磁気カードリーダと、
を備える電子機器であって、
前記端末本体は、
当該端末本体の第１端の側に配置された第１の本体部と、
当該端末本体の第２端の側に配置され、前記第１の本体部より厚みが小さい第２の本体部と、を含むとともに、
少なくとも表示部が配置された第１面及び当該第１面と反対側の第２面を有し、
前記読み取り装置が前記第１の本体部の前記第１端に隣接する第１の位置に設けられ、
前記磁気カードリーダが前記第１の本体部における、前記第１の位置よりも前記第２の本体部に近い第２の位置に設けられ、
前記スロットは、前記第１の本体部において、前記第１端から前記第２端に向かう方向に沿って、前記第２面から前記第１面に向かう様に傾斜した状態で画定され、
前記第２面において、前記第１の本体部の前記第２の本体部に隣接する領域は、前記第１端から前記第２端に向かう方向に沿って、前記第２面から前記第１面に向かう様に傾斜する傾斜面を構成し、
前記スロットが前記第２面から前記傾斜面と同じ方向に傾斜する様に画定される、
電子機器。
【請求項２】
請求項１に記載の電子機器であって、
前記スロットが、前記傾斜面と平行に設けられる、
電子機器。
【請求項３】
請求項１に記載の電子機器であって、
前記スロットが、前記第１面に対し３０度〜４５度の角度をもって傾斜する様に設けられる、
電子機器。
【請求項４】
請求項１から３のいずれか１項に記載の電子機器であって、
前記端末本体に対し取り外し可能な蓋部材を更に備え、
前記蓋部材は、前記第２面のうち少なくとも、前記傾斜面と前記第２の本体部に対応する領域を構成し、
前記磁気カードリーダが前記蓋部材に取り付けられるとともに、前記スロットが前記蓋部材において画定されている、
電子機器。
【請求項５】
請求項４に記載の電子機器であって、
前記蓋部材が、前記第２の本体部に収納された電池を覆う電池蓋である、
電子機器。
【請求項６】
請求項１から５のいずれか１項に記載の電子機器であって、
前記読み取り装置が、バーコードリーダまたはカメラの少なくともいずれかを含む、
電子機器。
【手続補正２】
【補正対象書類名】明細書
【補正対象項目名】０００７
【補正方法】変更
【補正の内容】
【０００７】
本開示の電子機器は、端末本体と、外部の情報を読み取る読み取り装置と、磁気カードの磁気ストライプが通過するためのスロットを有する磁気カードリーダと、を備える電子機器であって、前記端末本体は、当該端末本体の第１端の側に配置された第１の本体部と、当該端末本体の第２端の側に配置され、前記第１の本体部より厚みが小さい第２の本体部と、を含むとともに、少なくとも表示部が配置された第１面及び当該第１面と反対側の第２面を有し、前記読み取り装置が前記第１の本体部の前記第１端に隣接する第１の位置に設けられ、前記磁気カードリーダが前記第１の本体部における、前記第１の位置よりも前記第２の本体部に近い第２の位置に設けられ、前記スロットは、前記第１の本体部において、前記第１端から前記第２端に向かう方向に沿って、前記第２面から前記第１面に向かう様に傾斜した状態で画定され、前記第２面において、前記第１の本体部の前記第２の本体部に隣接する領域は、前記第１端から前記第２端に向かう方向に沿って、前記第２面から前記第１面に向かう様に傾斜する傾斜面を構成し、前記スロットが前記第２面から前記傾斜面と同じ方向に傾斜する様に画定される。